(57)【特許請求の範囲】
【請求項１】
媒体基材と、
前記媒体基材の一部に形成され、秘密情報を表示する秘密情報表示部と、
少なくとも前記秘密情報表示部に形成され、前記秘密情報を目視不能に隠蔽するとともに、再形成不能に破壊して除去することができ、機械読み取り可能な偽造判別情報部を備える隠蔽層と
を有する情報隠蔽媒体であって、
前記偽造判別情報部は、偽造判別情報を磁気記録する磁気記録部と、前記隠蔽層上に形成される光学的に機械読み取り可能な偽造判別情報の表示とであり、
前記光学的に読み取り可能な前記偽造判別情報の表示は、前記隠蔽層と前記媒体基材とにまたがって設けられている
ことを特徴とする情報隠蔽媒体。
【請求項２】
請求項１に記載の情報隠蔽媒体において、
前記隠蔽層は、テープである
ことを特徴とする情報隠蔽媒体。
【請求項３】
請求項１又は請求項２に記載の情報隠蔽媒体の使用方法であって、
前記偽造判別情報部を機械読み取りして、前記隠蔽層の偽造判別することで、前記秘密情報が漏洩しているか否かを判定する
ことを特徴とする情報隠蔽媒体の使用方法。
【発明の詳細な説明】
【０００１】
【発明の属する技術分野】
本発明は、各種クジ、国際電話用暗証番号付きテレホンカード、インターネット接続用暗証番号付きカード、テレホンバンキング用暗証番号付きカードなどに利用される情報隠蔽媒体及びその使用方法に関するものである。
【０００２】
【従来の技術】
従来より、この種の情報隠蔽媒体として、脆弱に形成された銀色の隠蔽層をコインや粘着テープなどで取り除いて秘密情報を目視する、いわゆるスクラッチカードが広く知られている（実公昭４４−１２０９４号公報，実公昭４８−２８４５３号公報，特開平１−２５７１００号公報，特開平２−２９７４８２号公報等）。
【０００３】
【発明が解決しようとする課題】
しかし、前述したスクラッチカードは、一旦、隠蔽層を取り除いて秘密情報を盗視した後、再度、銀色インキ等を塗布して、未使用を装う偽造が行われる可能性がある。万一、そのような偽造が行われた場合に、外観だけで秘密情報が漏洩しているか否かを判定することは、困難である。
【０００４】
本発明の課題は、偽造が困難であり、また、万一、偽造されても、秘密情報が漏洩しているか否かを容易に判定することができる情報隠蔽媒体及びその使用方法を提供することである。
【０００５】
【課題を解決するための手段】
本発明は、以下のような解決手段により、前記課題を解決する。なお、理解を容易にするために、本発明の実施形態に対応する符号を付して説明するが、これに限定されるものではない。
前記課題を解決するために、請求項１の発明は、媒体基材（１１）と、媒体基材（１１）の一部に形成され、秘密情報（１２ａ）を表示する秘密情報表示部（１２）と、少なくとも秘密情報表示部（１２）に形成され、秘密情報（１２ａ）を目視不能に隠蔽するとともに、再形成不能に破壊して除去することができ、機械読み取り可能な偽造判別情報部（１４ａ）を備える隠蔽層（１４）とを有する情報隠蔽媒体であって、前記偽造判別情報部（１４ａ）は、偽造判別情報を磁気記録する磁気記録部と、前記隠蔽層上に形成される光学的に機械読み取り可能な偽造判別情報の表示とであり、前記光学的に読み取り可能な前記偽造判別情報の表示は、前記隠蔽層と前記媒体基材とにまたがって設けられていることを特徴とする情報隠蔽媒体である。
【０００７】
請求項２の発明は、請求項１に記載の情報隠蔽媒体において、隠蔽層（１４）は、テープであることを特徴とする情報隠蔽媒体である。
【０００８】
請求項３の発明は、請求項１又は請求項２に記載の情報隠蔽媒体の使用方法であって、偽造判別情報部（１４ａ）を機械読み取りして、隠蔽層（１４）の偽造判別することで、秘密情報（１２ａ）が漏洩しているか否かを判定することを特徴とする情報隠蔽媒体の使用方法である。
【０００９】
【発明の実施の形態】
以下、図面等を参照して、本発明の実施の形態について、さらに詳しく説明する。
（第１実施形態）
図１は、本発明による情報隠蔽媒体の第１実施形態を示す図である。図中、（Ａ）は、平面図、（Ｂ）は、（Ａ）のＢ−Ｂ断面図である。
情報隠蔽媒体１０は、媒体基材１１と、秘密情報表示部１２と、接着層１３と、隠蔽層１４とを有する。
【００１０】
媒体基材１１は、情報隠蔽媒体１０の担体となる基材である。媒体基材１１は、その材料として、一般的に使用されるプラスチック材料（例えば、ポリエチレン（ＰＥ）、ポリエチレンテレフタレート（ＰＥＴ）、ポリ塩化ビニル（ＰＶＣ）、ポリカーボネート（ＰＣ）、アクリロニトリル・ブタジエン・スチレン共重合（ＡＢＳ）、アクリロニトリル−スチレン共重合体（ＡＳ）、ポリメチルメタクリレート（ＰＭＭＡ）、セルロースアセテートブチレート（ＣＡＢ）、セルロースプロピオネート（ＣＰ）等）又は紙（例えば、アート紙、コート紙、合成紙等）などを好適に用いることができる。
このような媒体基材１１の代表的なものとしては、例えば、特種製紙製  統計カード用紙スノーホワイト  １６７ｇ／ｍ2 等がある。
【００１１】
秘密情報表示部１２は、媒体基材１１に形成される表示部であって、秘密にする秘密情報１２ａが印刷、印字（プリンタ等による可変情報）又は手書されている。
秘密情報１２ａは、例えば、情報隠蔽媒体１０をクジとして使用する場合であれば、「アタリ」、「ハズレ」などであり、情報隠蔽媒体１０を国際電話用テレホンカードクジとして使用する場合であれば、国際電話利用時に入力する暗証番号などである。
秘密情報１２ａは、媒体基材１１又は隠蔽層１４と似た色で印刷、印字（プリンタ等による可変情報）又は手書するとよい。そのようにすれば、秘密情報１２ａは、光に透かされても、見えにくいからである。
また、秘密情報１２ａは、表面に凹凸が少ないことが望ましく、そのため、オフセット印刷、印字（プリンタ等による可変情報）又は手書するとよい。すなわち、表面に凹凸があると、隠蔽層１４で隠蔽しても、光の反射により、隠蔽層１４の上から秘密情報１２ａが分かる可能性があるからである。
秘密情報１２ａを印刷するオフセットインキの代表的なものとしては、例えば、ザ・インクテック製  ＵＶ−ＢＯＦシリーズ等がある。
【００１２】
接着層１３は、隠蔽層１４を媒体基材１１に接着可能にする層である。接着層１３は、熱圧接着可能なヒートシール材を使用するとよい。
【００１３】
隠蔽層１４は、秘密情報表示部１２に形成される層であり、秘密情報１２ａを目視不能にする。また、隠蔽層１４は、爪やコイン等で擦り取ったり、粘着テープ等を貼付して、再形成不能に除去することができる。
隠蔽層１４は、偽造判別情報部１４ａを備える。偽造判別情報部１４ａは、磁気記録部であり、偽造判別情報を磁気記録する。
すなわち、隠蔽層１４は、磁気テープで、形成されており、例えば、ベースとなるポリエチレンテレフタレート（ＰＥＴ）などのプラスチックテープに、γ−Ｆｅ2 Ｏ3 、コバルト被着γ−Ｆｅ2 Ｏ3 、バリウムフェライト等の磁性粉を、バインダによって塗布固着して形成することができる。
磁気テープは、最上層にベースとなるポリエチレンテレフタレート（ＰＥＴ）、中間層に磁気層、下層にヒートシール材とする転写タイプの構成をとるか、又は、最上層に磁気層、中間層にベースとなるポリエチレンテレフタレート（ＰＥＴ）、下層にヒートシール材とするシールタイプの構成をとる。
隠蔽層１４は、磁気テープであるため、不透明度が高く、通常の印字文字（黒）の隠蔽効果が高い。特に、２１９．０ＫＡ／ｍ程度のものがよい。
このような隠蔽層１４の代表的なものとしては、例えば、大日本インキ化学工業製  Ｔ００７３  ２１９．０ＫＡ／ｍ等がある。
【００１４】
磁気テープの磁気記録部は、十分な保磁力を確保するために、バインダ量に比べて多量の磁性粉を混合している。そのため、磁気層のみでは自己保持性が小さく、ベースとなるプラスチックフィルムや基材に形成されて初めてテープ形状になる。
したがって、磁気テープが転写タイプの場合は、磁気記録部を基材に接着するヒートシール材に十分な加熱を行わず、基材への接着力を小さくすることで、磁気記録部は、ベースフィルム剥離後、スクラッチ機能を有する層になる。
また、磁気テープがシールタイプの場合は、バインダ量を調整して、ベースへの接着力を小さくすることで、磁気記録部は、同様に、スクラッチ機能を有する層になる。
【００１５】
（作製方法）
情報隠蔽媒体１０は、以下のように作製する。
（１）ロール状の媒体基材１１（例えば、特種製紙製  統計カード用紙スノーホワイト  １６７ｇ／ｍ2 ）に、オフセットインキ（例えば、ザ・インクテック製ＵＶ−ＢＯＦシリーズ）を用いて、秘密情報１２ａをオフセット印刷、印字（プリンタ等による可変情報）又は手書する。
【００１６】
（２）（１）において、秘密情報１２ａを印刷、印字（プリンタ等による可変情報）又は手書した媒体基材１１に、ヒートシール材が別工程で塗布された磁気テープ（例えば、大日本インキ化学工業製  Ｔ００７３  ２１９．０ＫＡ／ｍ）を熱圧接着し、ベースを剥離して、磁気記録部からなる隠蔽層１４を形成する。なお、上記材料を使用する場合であれば、例えば、熱圧条件；１３０℃，２．０ｋｇ／ｃｍ2 、接着運転速度；２０ｍ／ｍｉｎで熱圧接着するとよい。
【００１７】
（３）（２）において、隠蔽層１４を形成した媒体基材１１に、カード抜きをおこなって、カードサイズに仕上げ、情報隠蔽媒体１０が完成する。
【００１８】
（使用方法）
情報隠蔽媒体１０は、以下のように使用する。
（１）製造者は、隠蔽層１４に偽造判別情報を磁気記録する。
【００１９】
（２）（１）において、偽造判別情報を磁気記録した製造者は、情報隠蔽媒体１０を取引者に引き渡す。
【００２０】
（３）（２）において、情報隠蔽媒体１０を受け取った取引者は、隠蔽層１４の偽造判別情報部１４ａを機械読み取りして、偽造判別することで、秘密情報１２ａが漏洩しているか否かを判定する。
偽造判別情報部１４ａが、所望通りに機械読み取りできなければ、秘密情報１２ａが漏洩している可能性が高いと判定できる。偽造判別情報部１４ａが、所望通りに機械読み取りできれば、秘密情報１２ａが漏洩していないと判定できる。
【００２１】
（４）（３）において、秘密情報１２ａが漏洩していないと判定した取引者は、情報隠蔽媒体１０を使用者に引き渡す。
【００２２】
（５）（４）において、情報隠蔽媒体１０を受け取った使用者は、隠蔽層１４を除去して、秘密情報１２ａを目視する。
【００２３】
本実施形態によれば、隠蔽層１４は、再形成不能に破壊して除去されるので、秘密情報１２ａを盗視した者が、再度、修復することは、できない。
また、隠蔽層１４は、磁気記録部を有するので、偽造判別情報を磁気記録することができる。したがって、偽造判別情報は、目視できず、第三者に、偽造判別情報が記録されていることを知られることがない。
さらに、隠蔽層１４は、偽造判別情報を機械読み取り可能に記録するので、万一、秘密情報１２ａの盗視者が、新たなテープで隠蔽層１４を偽造しても、偽造判別情報を読み取ることで、隠蔽層１４の偽造判別をすることができる。それにより、秘密情報１２ａが漏洩しているか否かを容易に判定することができる。
さらにまた、隠蔽層１４は、テープであるので、その隠蔽層１４のみを別工程で製造することができる。したがって、例えば、別途製造されている既製品を使用して、安価に製造することができる。
【００２４】
（第２実施形態）
図２は、本発明による情報隠蔽媒体の第２実施形態を示す図である。図中、（Ａ）は、平面図、（Ｂ）は、（Ａ）のＢ−Ｂ断面図である。
なお、以下に示す実施形態では、前述した第１実施形態と同様の機能を果たす部分には、同一の符号を付して、重複する説明を適宜省略する。
情報隠蔽媒体１０は、媒体基材１１と、秘密情報表示部１２と、隠蔽層１４とを有する。
【００２５】
隠蔽層１４は、下地（秘密情報１２ａ）の隠蔽性（不透明性）を有するとともに、爪やコイン等で擦ることによって削り取られる（スクラッチ可能な）層である。また、粘着テープ等でも剥離可能である。隠蔽層１４は、秘密情報表示部１２に形成される。隠蔽層１４は、インキをスクリーン印刷して形成する。
【００２６】
隠蔽層１４を形成するインキは、ゴム系天然樹脂（天然ゴム，塩酸ゴム等）、ジエン系樹脂（ポリブタジエン，スチレン・ブタジエン共重合体，アクリロニトリル・ブタジエン共重合体，ポリイソプレン，ポリクロロプレン等）や、アクリル系樹脂、ビニル系樹脂などをビヒクル（顔料を印刷面に転移，固着させるための成分）としたものである。さらに、下地の隠蔽性を得るために、無機・有機顔料（酸化鉄、酸化チタン、酸化コバルト、真珠光沢顔料、フタルシアニンブルー、不溶性アゾ、溶性アゾ、染料レーキなど）及び／又は金属系微粉末（アルミニウム微粉末，黄銅微粉末，銅微粉末等）を含有し、さらにまた、適当な可塑剤、安定剤、離型剤及び溶剤などを含有している。
【００２７】
このようなインキの代表的なものとしては、例えば、帝国インキ製造（株）製のセリコールＲＵＢインキ等がある。
【００２８】
また、隠蔽層１４は、偽造判別情報部１４ａを備える。偽造判別情報部１４ａは、バーコード、ＯＣＲ文字など光学的に機械読み取り可能な偽造判別情報を表示している。
【００２９】
本実施形態によれば、隠蔽層１４は、光学的に機械読み取り可能な偽造判別情報を表示するので、この偽造判別情報を機械読み取りして、隠蔽層１４を偽造判別することができる。したがって、秘密情報１２ａが漏洩しているか否かを容易に判定することができる。
【００３０】
（変形形態）
以上説明した実施形態に限定されることなく、種々の変形や変更が可能であって、それらも本発明の均等の範囲内である。
例えば、第１実施形態において、隠蔽層１４に、光学的に機械読み取り可能な偽造判別情報を印刷、印字（プリンタ等による可変情報）又は手書しても、同様の効果が得られる。
また、大きさも、カードサイズに限られない。例えば、クジの場合であれば、郵送可能な葉書サイズで作製してもよい。
さらに、秘密情報表示部１２を複数箇所設けて、複数の隠蔽層１４を設けてもよい。その場合に、片面のみならず、表裏両面に設けてもよい。また、テープタイプの隠蔽層と、インキタイプの隠蔽層を組み合わせてもよい。
さらにまた、光学的に機械読み取り可能な偽造判別情報を、隠蔽層１４と媒体基材１１とにまたがって印刷、印字（プリンタ等による可変情報）又は手書してもよい。そのようにすれば、隠蔽層１４を除去して秘密情報１２ａを盗視した後、隠蔽層１４を偽造しようとしても、基材１１に残っている偽造判別情報と連続する偽造判別情報を隠蔽層１４に形成することはできないので、偽造が困難である。
【００３１】
【発明の効果】
以上詳しく説明したように、本発明によれば、隠蔽層は、機械読み取り可能な偽造判別情報部を備えるので、この偽造判別情報部を機械読み取りして、隠蔽層を偽造判別することができる。
【００３２】
本発明によれば、偽造判別情報部は、磁気記録部であるので、偽造判別情報を磁気記録することができる。したがって、偽造判別情報は、目視できない。
【００３３】
本発明によれば、隠蔽層は、テープであるので、その隠蔽層のみを別工程で製造することができる。
【００３４】
本発明によれば、偽造判別情報部を機械読み取りして、隠蔽層の偽造判別することができるので、秘密情報が漏洩しているか否かを容易に判定することができる。
【図面の簡単な説明】
【図１】本発明による情報隠蔽媒体の第１実施形態を示す図である。
【図２】本発明による情報隠蔽媒体の第２実施形態を示す図である。
【符号の説明】
１０  情報隠蔽媒体
１１  媒体基材
１２  秘密情報表示部
１２ａ  秘密情報
１３  接着層
１４  隠蔽層
１４ａ  偽造判別情報部
【図１】
0004253057.tif 000002
【図２】
0004253057.tif 000003